【手続補正書】
【提出日】平成30年11月26日(2018.11.26)
【手続補正１】
【補正対象書類名】特許請求の範囲
【補正対象項目名】全文
【補正方法】変更
【補正の内容】
【特許請求の範囲】
【請求項１】
発電及び力行の作動を可能とする回転電機（２１）と、
複数のスイッチング素子（Ｓｐ，Ｓｎ）のオンオフにより前記回転電機において相ごとの通電を行わせるスイッチング回路部（２２）と、
前記スイッチング回路部に接続される蓄電部（１１，１２）と、
前記スイッチング回路部と前記蓄電部との間の電気経路に設けられるスイッチ（３１，３２）と、を備える電源システムに適用される回転電機制御装置（２３）であって、
前記スイッチング回路部に流れる通電電流が所定の過電流閾値（ＴＨ１）まで上昇したことに基づいて、前記回転電機及び前記スイッチング回路部の少なくともいずれかに過電流が流れたことを判定する判定部と、
前記判定部の判定結果に基づいて、前記スイッチを開放させるスイッチ制御部と、
前記回転電機の力行駆動の開始時においてその駆動開始に伴い生じる突入電流を制限する電流制限部と、
前記スイッチング回路部における通電電流の目標値を設定し、その目標値に応じて定められる前記スイッチング素子のオンオフ比率に基づいて当該スイッチング素子のオンオフを制御する通電制御部と、
を備え、
前記電流制限部は、前記回転電機の力行駆動の開始時において、前記目標値を制限することで、前記突入電流の制限を実施する回転電機制御装置。
【請求項２】
前記電流制限部は、前記目標値を、前記過電流閾値よりも小さい値として設定する請求項１に記載の回転電機制御装置。
【請求項３】
前記回転電機の力行駆動の開始後における当該回転電機の回転上昇に応じて、前記電流制限部による前記突入電流の制限の程度を変更する制限変更部を備える請求項１又は２に記載の回転電機制御装置。
【請求項４】
発電及び力行の作動を可能とする回転電機（２１）と、
複数のスイッチング素子（Ｓｐ，Ｓｎ）のオンオフにより前記回転電機において相ごとの通電を行わせるスイッチング回路部（２２）と、
前記スイッチング回路部に接続される蓄電部（１１，１２）と、
前記スイッチング回路部と前記蓄電部との間の電気経路に設けられるスイッチ（３１，３２）と、を備える電源システムに適用される回転電機制御装置（２３）であって、
前記スイッチング回路部に流れる通電電流が所定の過電流閾値（ＴＨ１）まで上昇したことに基づいて、前記回転電機及び前記スイッチング回路部の少なくともいずれかに過電流が流れたことを判定する判定部と、
前記判定部の判定結果に基づいて、前記スイッチを開放させるスイッチ制御部と、
前記回転電機の力行駆動の開始時においてその駆動開始に伴い生じる突入電流を制限する電流制限部と、
前記回転電機の力行駆動の開始後における当該回転電機の回転上昇に応じて、前記電流制限部による前記突入電流の制限の程度を変更する制限変更部と、
を備える回転電機制御装置。
【請求項５】
前記回転電機の力行駆動の開始後における当該回転電機の回転上昇に応じて、前記電流制限部による前記突入電流の制限を解除する制限解除部を備える請求項１乃至４のいずれか１項に記載の回転電機制御装置。
【請求項６】
発電及び力行の作動を可能とする回転電機（２１）と、
複数のスイッチング素子（Ｓｐ，Ｓｎ）のオンオフにより前記回転電機において相ごとの通電を行わせるスイッチング回路部（２２）と、
前記スイッチング回路部に接続される蓄電部（１１，１２）と、
前記スイッチング回路部と前記蓄電部との間の電気経路に設けられるスイッチ（３１，３２）と、を備える電源システムに適用される回転電機制御装置（２３）であって、
前記スイッチング回路部に流れる通電電流が所定の過電流閾値（ＴＨ１）まで上昇したことに基づいて、前記回転電機及び前記スイッチング回路部の少なくともいずれかに過電流が流れたことを判定する判定部と、
前記判定部の判定結果に基づいて、前記スイッチを開放させるスイッチ制御部と、
前記回転電機の力行駆動の開始時においてその駆動開始に伴い生じる突入電流を制限する電流制限部と、
前記回転電機の力行駆動の開始後における当該回転電機の回転上昇に応じて、前記電流制限部による前記突入電流の制限を解除する制限解除部と、
を備える回転電機制御装置。
【請求項７】
前記蓄電部として、前記スイッチング回路部に並列に接続される第１蓄電部（１１）と第２蓄電部（１２）とを備える一方、前記スイッチとして、前記スイッチング回路部と前記第１蓄電部との間の経路を開閉する第１スイッチ（３１）と、前記スイッチング回路部と前記第２蓄電部との間の経路を開閉する第２スイッチ（３２）とが設けられる電源システムに適用され、
前記スイッチ制御部は、前記回転電機の力行駆動の開始時に前記電流制限部による電流制限が実施される場合において、前記第１スイッチ及び前記第２スイッチを共に閉鎖させる請求項１乃至６のいずれか１項に記載の回転電機制御装置。
【請求項８】
前記回転電機の力行駆動の開始後における当該回転電機の回転上昇に応じて、前記電流制限部による前記突入電流の制限を解除する制限解除部を備え、
前記スイッチ制御部は、前記回転電機の力行駆動の開始後において、前記制限解除部による制限解除の前に、前記第１蓄電部及び前記第２蓄電部の一方を前記スイッチング回路部に接続する状態から前記第１蓄電部及び前記第２蓄電部の両方を前記スイッチング回路部に接続する状態に移行させるよう前記第１スイッチ及び前記第２スイッチの開閉を制御する請求項７に記載の回転電機制御装置。
【請求項９】
発電及び力行の作動を可能とする回転電機（２１）と、
複数のスイッチング素子（Ｓｐ，Ｓｎ）のオンオフにより前記回転電機において相ごとの通電を行わせるスイッチング回路部（２２）と、
前記スイッチング回路部に接続される蓄電部（１１，１２）と、
前記スイッチング回路部と前記蓄電部との間の電気経路に設けられるスイッチ（３１，３２）と、を備える電源システムに適用される回転電機制御装置（２３）であって、
前記蓄電部は、前記スイッチング回路部に並列に接続される第１蓄電部（１１）と第２蓄電部（１２）とを含み、
前記スイッチは、前記スイッチング回路部と前記第１蓄電部との間の経路を開閉する第１スイッチ（３１）と、前記スイッチング回路部と前記第２蓄電部との間の経路を開閉する第２スイッチ（３２）とを含み、
前記スイッチング回路部に流れる通電電流が所定の過電流閾値（ＴＨ１）まで上昇したことに基づいて、前記回転電機及び前記スイッチング回路部の少なくともいずれかに過電流が流れたことを判定する判定部と、
前記判定部の判定結果に基づいて、前記スイッチを開放させるスイッチ制御部と、
前記回転電機の力行駆動の開始時においてその駆動開始に伴い生じる突入電流を制限する電流制限部と、
前記回転電機の力行駆動の開始後における当該回転電機の回転上昇に応じて、前記電流制限部による前記突入電流の制限を解除する制限解除部と、
を備え、
前記スイッチ制御部は、
前記回転電機の力行駆動の開始時に前記電流制限部による電流制限が実施される場合において、前記第１スイッチ及び前記第２スイッチを共に閉鎖させ、
前記回転電機の力行駆動の開始後において、前記制限解除部による制限解除の前に、前記第１蓄電部及び前記第２蓄電部の一方を前記スイッチング回路部に接続する状態から前記第１蓄電部及び前記第２蓄電部の両方を前記スイッチング回路部に接続する状態に移行させるよう前記第１スイッチ及び前記第２スイッチの開閉を制御する回転電機制御装置。
【請求項１０】
所定の自動停止条件の成立に伴いエンジンを自動停止させるとともに、その自動停止後に所定の再始動条件の成立に伴い前記エンジンを再始動させるアイドリングストップ制御機能を有し、前記回転電機の力行駆動により前記再始動が行われる車両に適用され、
前記電流制限部は、前記再始動の要求に伴う前記回転電機の力行駆動の開始時において前記突入電流の制限を実施する請求項１乃至９のいずれか１項に記載の回転電機制御装置。
【請求項１１】
前記電源システムにおいて、前記蓄電部と前記回転電機とを繋ぐ経路に、前記過電流が流れることに伴い当該経路を遮断する遮断部（５２ａ）が設けられている請求項１乃至１０のいずれか１項に記載の回転電機制御装置。